(57)【要約】【課題】有線通信装置及び無線通信装置の双方を装備したプリンターなどの電子機器が有線ＬＡＮまたは無線ＬＡＮのいずれかのＬＡＮを用いて、途切れることなく通信を行う。【解決手段】有線通信の設定情報を通信設定情報記憶部２０９に保存する（Ｓ１０１）。有線通信装置２０６による有線通信を終了すると（Ｓ１０２）、無線通信装置２０７が無線ＬＡＮへの接続処理を開始する（Ｓ１０４）。無線通信装置２０７が無線ＬＡＮへの接続に失敗したときに（Ｓ１０６）、通信設定情報記憶部２０９に保存されている有線通信の設定情報に基づいて、有線通信装置２０６が有線ＬＡＮへ再接続する（Ｓ１０８）。【選択図】図４
2012090026.tif 000002
【特許請求の範囲】
【請求項１】
有線ＬＡＮを介して有線通信を行う有線通信部と、
無線ＬＡＮを介して無線通信を行う無線通信部と、
前記有線通信部の有線通信の設定情報を記憶する記憶部と、
有線ＬＡＮ接続と無線ＬＡＮ接続との切り替えを管理する通信管理部とを備えた周辺装置であって、
前記通信管理部は、
前記有線通信の設定情報を前記記憶部に保存させた後、前記有線通信部による有線通信を終了させ、
前記有線通信部による有線通信の終了後に、前記無線通信部が無線ＬＡＮへの接続処理を開始させ、
前記無線通信部が無線ＬＡＮへの接続に失敗したときは、前記記憶部に保存されている前記有線通信の設定情報に基づいて、前記有線通信部に有線ＬＡＮへ再接続させる、周辺装置。
【請求項２】
前記通信管理部は、
前記有線ＬＡＮへの再接続を行う前に、無線ＬＡＮへの接続をリトライする、ことを特徴とする請求項１記載の周辺装置。
【請求項３】
前記通信管理部は、
前記有線通信部が前記有線ＬＡＮに再接続した後、所定のタイミングで有線ＬＡＮ接続から無線ＬＡＮ接続への切り替えにリトライする、ことを特徴とする請求項１または２に記載の周辺装置。
【請求項４】
前記記憶部に記憶される前記有線通信の設定情報には、ＩＰアドレス、サブネットマスク及びデフォルトゲートウェイに関する情報を含む、ことを特徴とする請求項１ないし３のいずれか１項に記載の周辺装置。
【請求項５】
有線ＬＡＮを介して有線通信を行う有線通信部と、無線ＬＡＮを介して無線通信を行う無線通信部と、前記有線通信部の有線通信の設定情報を記憶する記憶部と、を備えた周辺装置が行うＬＡＮへの接続方法であって、
前記有線通信の設定情報を前記記憶部に保存するステップと、
前記有線通信部による有線通信を終了するステップと、
前記有線通信部による有線通信の終了後に、前記無線通信部が無線ＬＡＮへの接続処理を開始するステップと、
前記無線通信部が無線ＬＡＮへの接続に失敗したときに、前記記憶部に保存されている前記有線通信の設定情報に基づいて、前記有線通信部が有線ＬＡＮへ再接続するステップと、を行う方法。
【請求項６】
有線ＬＡＮを介して有線通信を行う有線通信部と、無線ＬＡＮを介して無線通信を行う無線通信部と、前記有線通信部の有線通信の設定情報を記憶する記憶部と、を備えた周辺装置のためのコンピュータープログラムであって、
前記プリンターに、
前記有線通信の設定情報を前記記憶部に保存するステップと、
前記有線通信部による有線通信を終了するステップと、
前記有線通信部による有線通信の終了後に、前記無線通信部が無線ＬＡＮへの接続処理を開始するステップと、
前記無線通信部が無線ＬＡＮへの接続に失敗したときに、前記記憶部に保存されている前記有線通信の設定情報に基づいて、前記有線通信部が有線ＬＡＮへ再接続するステップと、を実行させるコンピュータープログラム。
【発明の詳細な説明】
【技術分野】
【０００１】
本発明は、さまざまな電子機器に搭載が可能な無線通信装置のための技術に関し、特に周囲に多数の無線通信装置があるときに、その中から通信相手を簡単に選択するための技術に関する。
【背景技術】
【０００２】
無線ＬＡＮ（Ｌｏｃａｌ  Ａｒｅａ  Ｎｅｔｗｏｒｋ）を利用可能な無線通信装置が広く普及している。通常、ある無線通信装置を無線ＬＡＮに接続しようとする場合、その無線通信装置は周囲に存在する他の無線通信装置を検索し、見つかったすべての無線通信装置を、通信相手候補のリストとして表示する。そして、ユーザーによってそのリスト内のいずれかの無線通信装置が選択されると、その選択された無線通信装置と接続する。
【０００３】
また、近年は所定の条件下でＳＳＩＤ（Ｓｅｒｖｉｃｅ  Ｓｅｔ  Ｉｄｅｎｔｉｆｉｅｒ）及び暗号キーなどの無線通信に必要なデータの交換を自動的に行って、無線接続のためのユーザーの負担を軽減させるいわゆる簡単設定も普及している。
【０００４】
また、設定情報を知らなくても、無線ＬＡＮへの接続を設定できるようにする技術が、例えば特許文献１に記載されている。
【先行技術文献】
【特許文献】
【０００５】
【特許文献１】特開２００５−３０３５６５号公報
【発明の概要】
【発明が解決しようとする課題】
【０００６】
ところで、有線通信装置と無線通信装置の双方を備えた電子機器の場合、有線ＬＡＮを用いた通信を行うか、または無線ＬＡＮを用いた通信を行うかを、その時々で使い分けたいというニーズがある。そのため、ＬＡＮの切り替えを行うためには、いずれか一方のＬＡＮで通信を行っているとき、その通信中のＬＡＮの接続を終了して、他方のＬＡＮへの接続が開始される。このときに、何らかの理由でＬＡＮの切り替えが不成功に終わると、その電子機器はＬＡＮから切り離され、通信ができない状態となる。
【０００７】
そこで、本発明の目的は、有線通信装置及び無線通信装置の双方を装備した周辺装置などの電子機器が有線ＬＡＮまたは無線ＬＡＮのいずれかのＬＡＮを用いて、途切れることなく通信を行うための技術を提供することである。
【課題を解決するための手段】
【０００８】
本発明の一つの実施態様に従う周辺装置は、有線ＬＡＮを介して有線通信を行う有線通信部と、無線ＬＡＮを介して無線通信を行う無線通信部と、前記有線通信部の有線通信の設定情報を記憶する記憶部と、有線ＬＡＮ接続と無線ＬＡＮ接続との切り替えを管理する通信管理部とを備える。前記通信管理部は、前記有線通信の設定情報を前記記憶部に保存させた後、前記有線通信部による有線通信を終了させ、前記有線通信部による有線通信の終了後に、前記無線通信部が無線ＬＡＮへの接続処理を開始させ、前記無線通信部が無線ＬＡＮへの接続に失敗したときは、前記記憶部に保存されている前記有線通信の設定情報に基づいて、前記有線通信部に有線ＬＡＮへ再接続させる。
【０００９】
これにより、有線ＬＡＮに接続した状態から無線ＬＡＮへの切り替えを行ったときに、その切り替えに失敗しても自動的に以前の設定のままで有線ＬＡＮに再接続することができる。
【００１０】
好適な実施態様では、前記通信管理部は、前記有線通信部が前記有線ＬＡＮに再接続した後、所定のタイミングで有線ＬＡＮ接続から無線ＬＡＮ接続への切り替えにリトライするようにしてもよい。
【００１１】
これにより、無線ＬＡＮへ接続できなかった理由が偶発的なものであったとき、リトライすることにより無線ＬＡＮへの切り替えができる可能性がある。
【００１２】
好適な実施態様では、前記記憶部に記憶される前記有線通信の設定情報には、ＩＰアドレス、サブネットマスク及びデフォルトゲートウェイに関する情報を含んでもよい。
【図面の簡単な説明】
【００１３】
【図１】本発明の一実施形態に係るプリンター１００の構成図である。
【図２】本発明の一実施形態に係る通信設定情報記憶部２０９の構成の一例を示す。
【図３】本発明の一実施形態に係る無線通信装置２０７の機能構成図である。
【図４】簡単設定を用いて無線接続に切り替える処理手順を示すフローチャートである。
【図５】ユーザーの手動設定によって無線接続に切り替える処理手順を示すフローチャートである。
【発明を実施するための形態】
【００１４】
以下、本発明の一つの実施形態に係る無線通信装置を備えた周辺装置の一例としての印刷装置（プリンター）について、図面を参照して説明する。なお、本実施形態における無線通信は、無線ＬＡＮ規格（ＩＥＥＥ８０２．１１）に準拠するものとする。
【００１５】
図１は、本発明の一実施形態に係るプリンター１００の構成図である。同図に示すように、プリンター１００は、印刷機構２０１と、印刷制御部２０２と、表示部２０３と、入力部２０４と、通信Ｉ／Ｆ２０５と、通信管理部２０８と、通信設定情報記憶部２０９を備えている。そして、通信Ｉ／Ｆ２０５は、有線通信装置２０６と、無線通信装置２０７とを備えている。
【００１６】
印刷機構２０１は、印刷ヘッド及び印刷媒体の搬送機構などを備え、印刷制御部２０２の制御に基づき、紙などの印刷媒体に印刷を行う。
【００１７】
印刷制御部２０２は、予め定められている各種設定及び通信Ｉ／Ｆ２０５を介して取得した印刷データに基づき、印刷機構２０１を制御して印刷を実行する。
【００１８】
表示部２０３は、液晶パネルなどの表示装置を有し、プリンター１００の様々な情報を表示する。例えば、表示部２０３には、印刷状況、印刷データの受信状況、及びインクの残量など印刷に関する情報が表示される。この他に、表示部２０３には、後に説明するように、無線通信装置２０７が無線通信を行うための各種設定に関する画面が表示される。
【００１９】
入力部２０４は、操作ボタンなどの入力装置を有し、ユーザーの入力操作を受け付ける。例えば、入力部２０４は、表示部２０３に無線通信に関する各種設定画面が表示されているときに、その各種設定を行うための入力操作を受け付ける。なお、表示部２０３及び入力部２０４は、いわゆるタッチパネルのように両者が外見上一体となるように構成されていてもよい。
【００２０】
通信Ｉ／Ｆ２０５は、有線通信装置２０６と無線通信装置２０７とを備え、有線ＬＡＮまたは無線ＬＡＮで他の通信機能を有する装置と所定のデータ通信を行う。例えば、通信Ｉ／Ｆ２０５は、有線ＬＡＮ通信または無線ＬＡＮ通信を介して、ホスト装置であるＰＣなどを通信相手として、印刷データを受信したり、印刷状況あるいはプリンター１００のステータスを示すデータを送信したりする。
【００２１】
有線通信装置２０６は、ＬＡＮケーブルなどを介して、有線ＬＡＮに接続されている他の装置と通信を行う。
【００２２】
無線通信装置２０７は、無線信号を介して、無線ＬＡＮに接続されている他の装置と通信を行う。例えば、後述する通信相手の選択画面で選択されたＡＰと無線通信を行って印刷データ等を取得する。
【００２３】
通信管理部２０８は、通信設定情報記憶部２０９に保存されている情報に基づいて、有線通信装置２０６を用いた通信と、無線通信装置２０７を用いた通信との切替制御等を行う。例えば、有線通信装置２０６を用いて通信を行っている間に、無線通信装置２０７を用いた通信に切り替える旨の指示を受けたとき、通信管理部２０８は、有線通信装置２０６の通信を停止させて、無線通信装置２０７に通信を開始させる。また、これとは反対に、無線通信装置２０７を用いて通信を行っている間に、有線通信装置２０６を用いた通信に切り替える旨の指示を受けたとき、通信管理部２０８は、無線通信装置２０７の通信を停止させて、有線通信装置２０６に通信を開始させる。
【００２４】
さらに、通信管理部２０８は、有線通信装置２０６から無線通信装置２０７または無線通信装置２０７から有線通信装置２０６へ切り替えを行う際、何らかの理由で新たに通信を開始させようとした通信装置で通信を行うことができないときは、以前に通信していた通信装置で再び接続を行うように指示してもよい。特に、有線ＬＡＮ通信から無線ＬＡＮ通信に切り替える場合、無線ＬＡＮでの通信相手となるＡＰ（Ａｃｃｅｓｓ  Ｐｏｉｎｔ）などの無線通信装置を検出できない場合もある。このようなときは、通信管理部２０８は、通信が途切れた状態が継続しないよう、再び有線ＬＡＮによる通信に切り替えるように制御する。
【００２５】
なお、プリンター１００はＭＡＣアドレスを一つだけ有している。通信管理部２０８は、その一つのＭＡＣアドレスを管理する。有線通信装置２０６及び無線通信装置２０７は、共通のＭＡＣアドレスを使用して通信を行う。
【００２６】
図２は、通信設定情報記憶部２０９の構成の一例を示す。通信設定情報記憶部２０９は、例えば、同図に示すように、有線通信に関する情報を記憶する有線領域２０９Ａと、無線通信に関する情報を記憶する無線領域２０９Ｂと、有線通信及び無線通信に共通する情報を記憶する共通領域２０９Ｃとを有する。通信設定情報記憶部２０９は、例えばフラッシュメモリーによって構成されていてもよい。通信管理部２０８が有線通信装置２０６及び無線通信装置２０７から取得した各種情報を通信設定情報記憶部２０９に保存する。さらに、通信管理部２０８が通信設定情報記憶部２０９から各種情報を取得して、有線通信装置２０６及び無線通信装置２０７へ通知する。有線通信装置２０６及び無線通信装置２０７は、例えば、通信設定情報記憶部２０９から通知された情報に基づく設定を行って、通信を行う。
【００２７】
有線領域２０９Ａには、例えば、有線での接続方式（１０／１００ｂａｓｅなど）を記憶する。
【００２８】
無線領域２０９Ｂには、例えば、無線通信のためのＳＳＩＤ、セキュリティー方式、暗号キーなどを記憶する。
【００２９】
共通領域２０９Ｃには、有線及び無線で共通に利用する設定、例えば、ＩＰアドレス、サブネットマスク、デフォルトゲートウェイなどを記憶する。
【００３０】
通信管理部２０８の指示に基づいて、有線通信と無線通信とを切り替える処理の詳細については後述する。
【００３１】
図３は、無線通信装置２０７の機能構成図である。同図に示すように、無線通信装置２０７は、無線通信部３０１と、スキャン制御部３０２と、記憶部３０３と、通信相手選択部３０４と、接続制御部３０５と、簡単設定処理部３０７とを備えている。
【００３２】
無線通信部３０１は、無線通信信号の送受信など、無線通信信号を処理する。例えば、無線通信部３０１は、ＩＥＥＥ８０２．１１ａ／ｂ／ｇ／ｎ等に対応する信号処理、通信データ処理、通信データの暗号化処理及び複合化処理、及び通信速度制御処理などを行う。
【００３３】
無線通信部３０１は、例えば、無線通信信号の送受信アンテナなどのハードウェアと、そのハードウェアを制御するための所定のプロセッサーなどにより実現してもよい。また、以下の各制御部及び記憶部等の構成ないし機能は、プロセッサー及びメモリーを用いて所定のコンピュータープログラムを実行させることにより実現することができる。
【００３４】
スキャン制御部３０２は、無線通信部３０１を制御して、無線通信部３０１の無線信号が届く範囲（通信可能範囲）内に存在する無線通信可能なＡＰ（通信可能装置）のスキャンを行う。例えば、アクティブスキャンのときは、ユーザーから指示されたタイミング、あるいは周期的に、無線通信部３０１にプローブリクエストフレームをブロードキャストさせ、その応答として返ってきたプローブレスポンスフレームの有無によって通信可能なＡＰを検出する。パッシブスキャンのときは、無線通信部３０１がビーコンフレームを受信することにより通信可能なＡＰを検出する。スキャン制御部３０２は、受信したプローブレスポンスフレームあるいはビーコンフレームに含まれる情報を記憶部３０３に保存する。
【００３５】
記憶部３０３は、スキャン制御部３０２の指示に従って行われたスキャンにより取得したプローブレスポンスフレームあるいはビーコンフレームに含まれる情報（以下、ＡＰ属性情報と称する）を記憶する。複数のＡＰに関するプローブレスポンスフレームあるいはビーコンフレームが取得されたときは、すべてのプローブレスポンスフレームあるいはビーコンフレームに含まれるＡＰ属性情報が記憶部３０３に記憶される。例えば、ＡＰ属性情報には、そのプローブレスポンスフレームを発行したＡＰの識別情報（ＳＳＩＤ）、ＩＰアドレス、ＭＡＣアドレス、サポートしているセキュリティー方式、暗号化方式、通信速度などの情報が含まれている。記憶部３０３には、上述したようなプローブレスポンスフレームあるいはビーコンフレームに含まれる情報とともに、プローブレスポンスフレームあるいはビーコンフレームの受信時刻も対応付けて記憶されるようにしてもよい。
【００３６】
通信相手選択部３０４は、スキャン制御部３０２が検出した複数のＡＰの中から通信相手となるＡＰを選択する処理を行う。通信相手となるＡＰはユーザーに選択させてもよいし、所定のルールに従って自動的に選択してもよい。例えば、通信相手選択部３０４は、記憶部３０３を参照して、通信相手となり得る無線通信装置（通信可能装置）を含む通信相手候補のリストを生成して、表示部２０３に表示させる。ユーザーは、通信相手候補リストから所望の通信相手となるＡＰを選択する。通信相手選択部３０４は、セキュリティーまたは通信速度などに関する所定の条件に従って、通信相手候補リストを生成するようにしてもよい。
【００３７】
接続制御部３０５は、通信相手選択部３０４で選択されたＡＰまたは簡単設定処理部３０７から指示されたＡＰとの接続開始処理を行う。具体的には、ＡＰとのＡｕｔｈｅｎｔｉｃａｔｉｏｎ及びＡｓｓｏｃｉａｔｉｏｎ処理等を行う。接続制御部３０５は、さらに、ＡＰとの接続終了処理も行う。
【００３８】
簡単設定処理部３０７は、接続制御部３０５を制御して、特定のＡＰと無線通信を開始するために必要な処理を自動的に実行する。例えば、スキャン制御部３０２が受信した信号を解析して、簡単設定のための専用信号を出力したＡＰが存在すれば、簡単設定処理部３０７は、接続制御部３０５を制御して、そのＡＰとの間で簡単設定の手順に従って無線接続を開始させる。なお、この簡単設定は、例えば公知の簡単設定技術を利用してもよい。
【００３９】
上記のような構成を備えたプリンター１００がホスト装置等と通信を行う際に、有線通信で行うか、または無線通信で行うかの切替を行う際の処理手順について、フローチャートを参照しながら以下に説明する。
【００４０】
図４は、プリンター１００が有線で通信を行っている状態から、簡単設定を用いて無線接続に切り替える処理手順を示すフローチャートである。以下、このフローチャートに沿って説明する。
【００４１】
通信管理部２０８は、入力部２０４を介して、ユーザーからの簡単設定による無線接続の開始要求を受ける（Ｓ１００）。この要求を受け付けると、以下に説明する有線ＬＡＮ接続から無線ＬＡＮ接続への切替処理を開始する。
【００４２】
通信管理部２０８は、有線ＬＡＮ通信を行っている有線通信装置２０６から、現在のネットワークの設定に関する情報を取得し、通信設定情報記憶部２０９に保存する（Ｓ１０１）。このとき、有線通信に固有の情報が有線領域２０９Ａに保存され、有線及び無線に共通の情報が共通領域２０９Ｃに保存される。
【００４３】
有線通信装置２０６は、通信管理部２０８からの指示に従って有線ＬＡＮ接続を切断する。これによって、有線通信装置２０６が使用してＭＡＣアドレスが解放される（Ｓ１０２）。
【００４４】
無線通信装置２０７は、通信管理部２０８からの指示に従って、簡単設定による無線ＬＡＮ通信の接続を開始する（Ｓ１０４）。このとき、共通領域２０９Ｃに保存されている有線及び無線に共通の情報は無線通信装置２０７に通知され、無線通信装置２０７はこれを用いて無線ＬＡＮへの接続を開始する。これにより、無線ＬＡＮへの接続が成功した場合は、以前の有線ＬＡＮでの通信状態を継続することができる。
【００４５】
通信管理部２０８は、無線通信装置２０７が簡単設定で無線ＬＡＮ接続に成功したか否かを判定する（Ｓ１０６）。この判定を行う際には、簡単設定での接続に要する所定時間が経過した後に行ってもよい。
【００４６】
無線通信装置２０７が無線接続に成功したときは（Ｓ１０６：Ｙｅｓ）、そのまま処理を終了する。
【００４７】
これにより、有線接続をしている状態から簡単設定を用いて無線接続へ切り替えることができる。
【００４８】
無線通信装置２０７が無線ＬＡＮに接続できないときは（Ｓ１０６：Ｎｏ）、通信管理部２０８は、ステップＳ１０１で通信設定情報記憶部２０９に保存した情報を有線通信装置２０６へ通知し、再度有線ＬＡＮによる接続を開始させる（Ｓ１０８）。ここで、無線ＬＡＮに接続できない理由には、通信相手となるＡＰが見つからない、あるいは、通信相手となるＡＰとセキュリティーの設定が適合しない場合などがある。また、無線の接続開始処理を開始してある程度まで進んだが、途中で途切れてしまった場合などは、ステップＳ１０８で有線ＬＡＮへの再接続を行う前に、無線ＬＡＮへの接続をリトライしてもよい。
【００４９】
これにより、有線ＬＡＮ接続から簡単設定を用いた無線ＬＡＮ接続への切替が成功しなかったときでも、自動的に有線接続へ復帰することができる。
【００５０】
なお、ステップＳ１０８で有線通信装置２０６が有線ＬＡＮに再接続した後、通信管理部２０８は、所定のタイミングでステップＳ１０１以降の処理を再び実行し、有線ＬＡＮ接続から無線ＬＡＮ接続への切り替えにリトライするようにしてもよい。これは、無線ＬＡＮへ接続できなかった理由が何らかの偶発的なものであったときには、無線ＬＡＮへの接続をリトライすることにより切り替えに成功する可能性があるからである。
【００５１】
図５は、簡単設定ではなく、通常のユーザーの手動設定によって無線接続に切り替える処理手順を示すフローチャートである。以下、このフローチャートに沿って説明する。
【００５２】
通信管理部２０８は、入力部２０４を介して、ユーザーからの手動（マニュアル）設定による無線接続の開始要求を受ける（Ｓ２００）。この要求を受け付けると、通信管理部２０８は、以下に説明する有線ＬＡＮ接続から無線ＬＡＮ接続への切替処理を開始する。
【００５３】
通信管理部２０８は、有線通信を行っている有線通信装置２０６から、現在のネットワークの設定に関する情報を取得し、通信設定情報記憶部２０９に保存する（Ｓ２０１）。このとき、有線通信に固有の情報が有線領域２０９Ａに保存され、有線及び無線に共通の情報が共通領域２０９Ｃに保存される。
【００５４】
有線通信装置２０６は、通信管理部２０８からの指示に従って有線接続を切断する。これによって、有線通信装置２０６が使用してＭＡＣアドレスが解放される（Ｓ２０２）。
【００５５】
無線通信装置２０７は、通信管理部２０８からの指示に従って、通信相手の候補となりうるＡＰをスキャンする（Ｓ２０４）。無線通信装置２０７は、このスキャンにより検出されたＡＰのＳＳＩＤを表示部２０３に表示させて、ユーザーに通信相手を選択させる（Ｓ２０６）。
【００５６】
通信相手のＡＰが選択されると、無線通信装置２０７は、そのＡＰとの無線ＬＡＮでの接続を開始する（Ｓ２０８）。このとき、共通領域２０９Ｃに保存されている有線及び無線に共通の情報が無線通信装置２０７に通知され、無線通信装置２０７はこれを用いて無線接続を開始する。これにより、無線ＬＡＮ接続が成功した場合は、ＬＡＮ上で同じＩＰアドレスを用いた、以前の有線ＬＡＮでの接続と同じ装置として通信を継続することができる。
【００５７】
通信管理部２０８は、無線通信装置２０７が選択されたＡＰと無線接続に成功したか否かを判定する（Ｓ２１０）。この判定は、無線ＬＡＮを確立するのに要する所定時間が経過した後に行ってもよい。
【００５８】
無線通信装置２０７が無線接続に成功したときは（Ｓ２１０：Ｙｅｓ）、そのまま処理を終了する。
【００５９】
これにより、有線接続をしている状態から、ユーザーが手動で通信相手のＡＰを選択して無線接続へ切り替えることができる。
【００６０】
無線通信装置２０７が無線接続できないときは（Ｓ２１０：Ｎｏ）、通信管理部２０８は、ステップＳ２０１で通信設定情報記憶部２０９に保存した情報を有線通信装置２０６へ通知し、再度有線ＬＡＮによる接続を開始させる（Ｓ２１２）。ここで、無線ＬＡＮに接続できない理由には、通信相手となるＡＰが見つからない、あるいは、通信相手となるＡＰとセキュリティーの設定が適合しない場合などがある。また、無線の接続開始処理を開始してある程度まで進んだが、途中で途切れてしまった場合などは、ステップＳ２１２で有線ＬＡＮへの再接続を行う前に、無線ＬＡＮへの接続をリトライしてもよい。
【００６１】
なお、ステップＳ２１２で有線通信装置２０６が有線ＬＡＮに再接続した後、通信管理部２０８は、所定のタイミングでステップＳ２０１以降の処理を再び実行し、有線ＬＡＮ接続から無線ＬＡＮ接続への切り替えにリトライするようにしてもよい。
【００６２】
これにより、有線接続から手動設定を用いた無線接続への切替が成功しなかったときでも、自動的に有線接続へ復帰することができる。
【００６３】
上述した本発明の実施形態では、無線通信装置を備えたプリンターを例に説明しているが、無線通信装置又は無線通信機能を備えた電子機器であれば適用することが可能である。例えば、コンピューター、コンピューターの周辺装置、製造装置、電化製品等に適用することも可能である。すなわち、上述した本発明の実施形態は、本発明の説明のための例示であり、本発明の範囲をそれらの実施形態にのみ限定する趣旨ではない。当業者は、本発明の要旨を逸脱することなしに、他の様々な態様で本発明を実施することができる。
【００６４】
例えば、上述した実施形態では、無線通信装置がＡＰとインフラストラクチャ型の通信を行う場合を例にとって説明したが、本発明は無線通信装置同士が直接通信を行うアドホック型通信にも適用可能である。
【符号の説明】
【００６５】
１００  プリンター
２０１  印刷機構
２０２  印刷制御部
２０３  表示部
２０４  入力部
２０６  有線通信装置
２０７  無線通信装置
２０８  通信管理部
２０９  通信設定情報記憶部
３０１  無線通信部
３０２  スキャン制御部
３０３  記憶部
３０４  通信相手選択部
３０５  接続制御部
３０７  簡単設定処理部
【図１】
2012090026.tif 000003
【図２】
2012090026.tif 000004
【図３】
2012090026.tif 000005
【図４】
2012090026.tif 000006
【図５】
2012090026.tif 000007